(57)【要約】【課題】光源を高輝度化することなくブラックアウト性を高めることができる照明装置を提供する。【解決手段】照明装置１は、不可視光１２０を出力する不可視光源１２と、裏面１８１側から入射する不可視光１２０を可視光１２１に変換する第１の領域１８ａ、及び不可視光１２０を可視光１２１に変換せずに透過させる第２の領域１８ｂを有し、第１の領域１８ａ及び第２の領域１８ｂにおいて表面１８０側から入射する自然光３の反射率が実質的に等しいコーティング膜１８と、コーティング膜１８の表面１８０側に配置されて自然光３に含まれる不可視光を吸収する粒子２２を含み、自然光３の透過が抑制されると共に第１の領域１８ａによって変換された可視光１２１を透過させるスモークパネル２０と、を備えて概略構成されている。【選択図】図２
2017188351.tif 000002
【特許請求の範囲】
【請求項１】
不可視光を出力する不可視光源と、
裏面側から入射する前記不可視光を可視光に変換する第１の領域、及び前記不可視光を可視光に変換せずに透過させる第２の領域を有し、前記第１の領域及び前記第２の領域において表面側から入射する自然光の反射率が実質的に等しい変換膜と、
前記変換膜の前記表面側に配置されて前記自然光に含まれる不可視光を吸収する粒子を含み、前記自然光の透過が抑制されると共に前記第１の領域によって変換された可視光を透過させるスモークパネルと、
を備えた照明装置。
【請求項２】
前記粒子は、前記不可視光源が出力する前記不可視光を吸収する、
請求項１に記載の照明装置。
【請求項３】
前記第１の領域は、前記不可視光を可視光に変換する蛍光体を含み、
前記第２の領域は、前記蛍光体を含まない、
請求項１又は２に記載の照明装置。
【請求項４】
前記不可視光源と前記変換膜との間に、前記不可視光を前記変換膜に導くライトガイドを有する、
請求項１乃至３のいずれか１項に記載の照明装置。
【発明の詳細な説明】
【技術分野】
【０００１】
本発明は、照明装置に関する。
【背景技術】
【０００２】
従来の技術として、構造材の内部に組み込まれ、この構造材に形成された開口部を通して構造材の内側から外側へ光を照射し、この光による画像を乗員に視認させる光源と、開口部を覆うように構造材の表面に貼付される透過性ウレタン合皮と、を備えた車両用表示装置が知られている（例えば、特許文献１参照。）。
【０００３】
この車両用表示装置は、光源から光が照射されない状態では、透過性ウレタン合皮の皮模様を乗員に視認させ、光源から光が照射された状態では、構造材の開口部を通して透過性ウレタン合皮を透過する部位を表示領域として表示される画像を乗員に視認させることができる。この透過性ウレタン合皮は、スモークウレタン樹脂とスモークアクリルとを貼り合わせて形成され、光が照射されない状態におけるブラックアウト性を一層高めている。
【先行技術文献】
【特許文献】
【０００４】
【特許文献１】特開２００９−０９６３８０号公報
【発明の概要】
【発明が解決しようとする課題】
【０００５】
しかし従来の車両用表示装置は、ブラックアウト性を高めるため、スモークウレタン樹脂とスモークアクリルとを貼り合わせていることから透過率が著しく低下するので、光源の高輝度化が必要となる。
【０００６】
従って本発明の目的は、光源を高輝度化することなくブラックアウト性を高めることができる照明装置を提供することにある。
【課題を解決するための手段】
【０００７】
本発明の一態様は、不可視光を出力する不可視光源と、裏面側から入射する不可視光を可視光に変換する第１の領域、及び不可視光を可視光に変換せずに透過させる第２の領域を有し、第１の領域及び第２の領域において表面側から入射する自然光の反射率が実質的に等しい変換膜と、変換膜の表面側に配置されて自然光に含まれる不可視光を吸収する粒子を含み、自然光の透過が抑制されると共に第１の領域によって変換された可視光を透過させるスモークパネルと、を備えた照明装置を提供する。
【発明の効果】
【０００８】
本発明によれば、光源を高輝度化することなくブラックアウト性を高めることができる。
【図面の簡単な説明】
【０００９】
【図１】図１（ａ）は、実施の形態に係る照明装置の一例を備えた空調装置がブラックアウトした状態を示す概略図であり、図１（ｂ）は、照明装置が照明を行った状態を示す概略図である。
【図２】図２は、実施の形態に係る照明装置の要部断面図の一例である。
【発明を実施するための形態】
【００１０】
（実施の形態の要約）
実施の形態に係る照明装置は、不可視光を出力する不可視光源と、裏面側から入射する不可視光を可視光に変換する第１の領域、及び不可視光を可視光に変換せずに透過させる第２の領域を有し、第１の領域及び第２の領域において表面側から入射する自然光の反射率が実質的に等しい変換膜と、変換膜の表面側に配置されて自然光に含まれる不可視光を吸収する粒子を含み、自然光の透過が抑制されると共に第１の領域によって変換された可視光を透過させるスモークパネルと、を備えて概略構成されている。
【００１１】
照明装置は、第１の領域と第２の領域の反射率が実質的に等しくされているので、スモークパネルを介して視認した際、第１の領域と第２の領域のコントラストが低くなり、スモークパネルの透過率を必要以上に下げなくてもブラックアウト性が高くなる。従って照明装置は、不可視光源を高輝度化することなくブラックアウト性を高めることができる。
【００１２】
[実施の形態]
（照明装置１の概要）
図１（ａ）は、実施の形態に係る照明装置の一例を備えた空調装置がブラックアウトした状態を示す概略図であり、図１（ｂ）は、照明装置が照明を行った状態を示す概略図である。図２は、実施の形態に係る照明装置の要部断面図の一例である。なお、以下に記載する実施の形態に係る各図において、図形間の比率は、実際の比率とは異なる場合がある。
【００１３】
照明装置１は、例えば、図１（ａ）及び図１（ｂ）に示すように、車両に搭載された空調装置５の照明部として機能するものである。この空調装置５は、例えば、表示部５０と、シンボル１８０ａと、スイッチ群５４と、を備えている。
【００１４】
表示部５０は、例えば、液晶モニタであり、設定されている設定温度、風量などが表示されている。シンボル１８０ａは、スイッチ５４０の操作によって実行される機能を示している。このシンボル１８０ａは、照明装置１が照明を行うことによって表示される。スイッチ群５４は、複数のスイッチ５４０によって構成されている。
【００１５】
照明装置１は、図２に示すように、不可視光１２０を出力する不可視光源１２と、裏面１８１側から入射する不可視光１２０を可視光１２１に変換する第１の領域１８ａ、及び不可視光１２０を可視光１２１に変換せずに透過させる第２の領域１８ｂを有し、第１の領域１８ａ及び第２の領域１８ｂにおいて表面１８０側から入射する自然光３の反射率が実質的に等しい変換膜としてのコーティング膜１８と、コーティング膜１８の表面１８０側に配置されて自然光３に含まれる不可視光を吸収する粒子２２を含み、自然光３の透過が抑制されると共に第１の領域１８ａによって変換された可視光１２１を透過させるスモークパネル２０と、を備えて概略構成されている。
【００１６】
照明装置１は、図２に示すように、不可視光源１２とコーティング膜１８の間に、不可視光１２０をコーティング膜１８に導くライトガイド１４を有している。
【００１７】
（不可視光源１２の構成）
不可視光源１２は、図２に示すように、基板１０に配置されている。この不可視光源１２は、一例として、１０ｎｍ以上４００ｎｍ未満の波長の不可視光１２０を出力する。本実施の形態の不可視光１２０は、一例として、波長が３６５ｎｍ程度の近紫外光（ブラックライト）である。
【００１８】
不可視光源１２は、例えば、この不可視光１２０を出力するＬＥＤ（Light Emitting Diode）素子である。不可視光１２０は、ライトガイド１４を介してコーティング膜１８に入射する。
【００１９】
不可視光源１２は、例えば、図１（ａ）に示すように、車両の電源が投入されていない場合、消灯し、シンボル１８０ａが視認し難くなってブラックアウト状態となる。また不可視光源１２は、例えば、図１（ｂ）に示すように、車両の電源が投入された場合、点灯し、シンボル１８０ａが視認できるようになる。
【００２０】
（ライトガイド１４の構成）
ライトガイド１４は、例えば、透明なシリコーン樹脂などを用いて形成されている。このライトガイド１４は、不可視光源１２から出力された不可視光１２０を第１の領域１８ａ及び第２の領域１８ｂに導くように配置されている。なお変形例としてライトガイド１４は、不可視光１２０を拡散する粒子などが含まれていても良い。
【００２１】
（コーティング膜１８の構成）
コーティング膜１８は、例えば、図２に示すように、印刷などによって透明なフィルム１６に形成されている。このコーティング膜１８は、シンボル１８０ａを形成する第１の領域１８ａと、背景１８０ｂを形成する第２の領域１８ｂと、を有している。
【００２２】
コーティング膜１８は、例えば、ＹＡＧ（イットリウム・アルミニウム・ガーネット）系、ＴＡＧ（テルビウム・アルミニウム・ガーネット）系、サイアロン系、ＢＯＳ（バリウム・オルソシリケート）系などの蛍光体１８５を含んだ膜である。コーティング膜１８は、例えば、透明な樹脂材料に部分的に蛍光体１８５を拡散させて形成される。
【００２３】
つまり第１の領域１８ａは、不可視光１２０をシンボル１８０ａの色の可視光１２１に変換する蛍光体１８５を含む領域である。第２の領域１８ｂは、この蛍光体１８５を含まない領域である。この蛍光体１８５は、不可視光１２０で発光する物質を、シンボル１８０ａの色に応じた配合比で混合したものである。
【００２４】
また第１の領域１８ａ及び第２の領域１８ｂは、スモークパネル２０を介して入射する自然光３の一部を反射する際の反射率が実質的に等しくされる。照明装置１は、一例として、６４００ルクスの自然光３が照射された際、第１の領域１８ａと第２の領域１８ｂのコントラストがおよそ０．２以下であると、ブラックアウト性が良い。つまり乗員が、不可視光源１２が消灯している空調装置５を見た際、シンボル１８０ａと背景１８０ｂの区別が付かず、黒く見える。
【００２５】
上述のように、第１の領域１８ａ及び第２の領域１８ｂは、その構成が蛍光体１８５を含むか、含まないかの差であるので、反射率が実質的に等しくなる。従って照明装置１は、一例として、コントラストが０．１〜０．２程度となる。
【００２６】
（スモークパネル２０の構成）
スモークパネル２０は、例えば、自然光３の透過率が１０％以下となるようにスモーク処理されている。具体的には、スモークパネル２０は、一例として、粒子２２を拡散させて板形状に形成された樹脂を黒色に塗装して形成されている。なお変形例としてスモークパネル２０は、例えば、樹脂材料にカーボンブラックなどの光を吸収する物質を拡散して形成されても良い。
【００２７】
スモークパネル２０に拡散される粒子２２は、自然光３に含まれる不可視光を吸収する不可視光吸収剤である。この粒子２２は、自然光３がスモークパネル２０及びフィルム１６を透過してコーティング膜１８に入射して可視光１２１に変換され、ブラックアウト性が低下するのを抑制している。
【００２８】
従って粒子２２は、少なくとも、第１の領域１８ａが反応する不可視光１２０の波長と同じ波長の不可視光、つまり不可視光源１２が出力する不可視光１２０を吸収する複数の物質を配合して得られたものである。
【００２９】
以下に照明装置１の動作について説明する。
【００３０】
（動作）
照明装置１は、車両の電源が投入されると、不可視光源１２が点灯する。不可視光源１２から出力された不可視光１２０は、ライトガイド１４を介してコーティング膜１８に入射する。
【００３１】
第１の領域１８ａに入射した不可視光１２０は、可視光１２１に変換されてフィルム１６及びスモークパネル２０を介して出力し、図１（ｂ）に示すように、シンボル１８０ａとして乗員に視認される。
【００３２】
また第２の領域１８ｂに入射した不可視光１２０は、スモークパネル２０の粒子２２に吸収される。
【００３３】
空調装置５は、照明装置１の不可視光源１２が消灯すると、ブラックアウト状態となってシンボル１８０ａが背景１８０ｂと同じ黒色となる。この際、スモークパネル２０の粒子２２は、自然光３に含まれる第１の領域１８ａが反応する、つまり不可視光源１２から出力された不可視光１２０と同じ波長の不可視光を吸収する。そして第１の領域１８ａ及び第２の領域１８ｂの反射率が実質的に等しいことから、空調装置５は、照明装置１の第１の領域１８ａと第２の領域１８ｂのコントラストが低く抑えられブラックアウト性が高くなる。
【００３４】
（実施の形態の効果）
本実施の形態に係る照明装置１は、不可視光源１２を高輝度化することなくブラックアウト性を高めることができる。具体的には、照明装置１は、第１の領域１８ａと第２の領域１８ｂの反射率が実質的に等しくされるので、スモークパネル２０を介して視認した際、第１の領域１８ａと第２の領域１８ｂのコントラストが低くなり、スモークパネル２０の透過率を必要以上に下げなくてもブラックアウト性が高くなる。また照明装置１は、スモークパネル２０に第１の領域１８ａが反応する、つまり不可視光源１２が出力する不可視光１２０と同じ波長の不可視光を吸収する粒子２２が含まれているので、この不可視光に第１の領域１８ａが反応することが抑制され、さらにブラックアウト性が高くなる。
【００３５】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更などを行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれると共に、特許請求の範囲に記載された発明とその均等の範囲に含まれる。
【符号の説明】
【００３６】
１…照明装置、３…自然光、５…空調装置、１０…基板、１２…不可視光源、１４…ライトガイド、１６…フィルム、１８…コーティング膜、１８ａ…第１の領域、１８ｂ…第２の領域、２０…スモークパネル、２２…粒子、５０…表示部、５４…スイッチ群、１２０…不可視光、１２１…可視光、１８０…表面、１８０ａ…シンボル、１８０ｂ…背景、１８１…裏面、１８５…蛍光体
【図１】
2017188351.tif 000003
【図２】
2017188351.tif 000004